(57)【特許請求の範囲】
【請求項１】
流体で手押し車を洗浄するための装置であって、
前記装置は、タブと、フィルタとを備え、
前記タブは、前壁の反対側の後壁と、対向する複数の側壁と、基部と、リムと、を備え、前記タブは、前記前壁において切り欠きを有し、
前記切り欠きは、前記複数の側壁から間隔を置いた複数の対向側部を有し、前記複数の対向側部は、前記タブの前記リムから、前記リムよりも比較的低い中間部まで延び、前記中間部は、前記手押し車の車輪を上昇させることなく、手押し車のトレイの前部がその上で動かせるように前記基部から間隔を置いて配置されており、前記切り欠きは、傾斜した向きにある手押し車のトレイの少なくとも前部を収容して支持機構を提供するように成形されており、
前記フィルタは、前記タブに結合可能であり、かつ、その前壁において前記タブの切り欠きに対応する切り欠きと、前記前壁の反対側の後壁と、対向する複数の側壁と、基部と、前記タブの前記リムと係合するように適合された幅広フラップとを備え、
前記支持機構は、前記手押し車のトレイ内の物質が少なくとも部分的に重力を介して前記タブに移動できるように、前記タブに対して傾斜した向きで前記手押し車を少なくとも一時的に保持するように適合された、装置。
【請求項２】
前記切り欠きは、前記傾斜した向きで前記手押し車の前記トレイの前記前部を載置するように成形され、これによって前記支持機構を提供する、請求項１に記載の装置。
【請求項３】
前記切り欠きは、前記傾斜した向きで前記手押し車の前記トレイの前記前部の下面と係合するように成形され、これによって前記支持機構の下面支持体を提供する、請求項１又は２に記載の装置。
【請求項４】
前記中間部は、その上部に沿って延びる中間リップを含む、請求項３に記載の装置。
【請求項５】
前記中間部は実質的に水平であり、前記タブの前側から比較的外向きに延びる、請求項１〜４のいずれか一項に記載の装置。
【請求項６】
前記複数の対向側部は、
ｉ）前記傾斜した向きで前記手押し車の前記トレイを載置するように成形されており、又は、
ｉｉ）前記切り欠きが前記中間部に向かって狭まるように成形されており、又は、
ｉｉｉ）前記中間部に向かって内向きに傾斜しており、又は、
ｉｖ）前記手押し車の前記トレイが前記傾斜した向きでもたれる側部リップを備えており、又は、
ｖ）前記ｉ）〜前記ｉｖ）の組合せである、請求項１〜５のいずれか一項に記載の装置。
【請求項７】
前記タブは出口を含み、前記タブの内面が、前記フィルタを通って前記出口に向かう流体の流れを促進するように成形されている、請求項１から６のいずれか一項に記載の装置。
【請求項８】
前記出口は、処理装置に取り付け可能であるように構成される、請求項７に記載の装置。
【請求項９】
流体処理装置は、そこを通過する流体のｐＨを変更するように適合されている、請求項８に記載の装置。
【請求項１０】
前記装置は、濾過された流体を前記タブから回収するように適合されたリザーバをさらに備える、請求項１から９のいずれか一項に記載の装置。
【請求項１１】
前記装置は、（１）前記タブおよび前記手押し車がその上で配置可能な本体であって、前記タブおよび前記手押し車がその上で配置可能なプラットフォームを提供する、本体と、（２）前記プラットフォームへの傾斜路とを有する、請求項１０に記載の装置。
【請求項１２】
前記フィルタを通る流体の流れを促進するように、前記フィルタに隣接する前記タブの内面の少なくとも一部が滑らかでない、請求項１から１１のいずれか一項に記載の装置。
【請求項１３】
前記フィルタに隣接する前記タブの内面の少なくとも一部は、前記フィルタを通る流体を補助するように配置された、波形、突起、隆起、開口部、凹部のうちの１つまたは複数を含む、請求項１２に記載の装置。
【請求項１４】
手押し車から洗い流した流体から固体材料を濾過するタブのためのフィルタであって、その前壁に前記タブの切り欠きに対応する切り欠きと、前記前壁の反対側の後壁と、対向する側壁と、基部と、前記後壁、対向する側壁の上部に実質的に延び、かつ前記前壁および前記切り欠きの上部に少なくとも部分的に延びる幅広フラップと、を備える、フィルタ。
【請求項１５】
前記フィルタは、
ｉ）前記タブの内面を実質的に覆うように成形されており、又は、
ｉｉ）前記タブの内部形状に対応するように成形されたフィルタ本体を備え、又は、
ｉｉｉ）その前壁において前記タブの前記切り欠きに対応する切り欠きを含み、又は、
ｉｖ）前記前壁の反対側の後壁と、対向する複数の側壁と、基部と、前記後壁、対向する複数の側壁の実質的に上部に延び、かつ前記前壁の少なくとも部分的に上部に延びる幅広フラップと、を備え、又は、
ｖ）前記ｉ）〜前記ｉｖ）の組合せである、請求項１〜１３のいずれか一項に記載の装置又は請求項１４に記載のフィルタ。
【請求項１６】
前記フィルタは、嵌合状態で前記切り欠きの上部に延びるように適合された中間フラップを備える、請求項１５に記載の装置又はフィルタ。
【請求項１７】
前記フィルタは、流体から固体材料を濾過するように適合されたフィルタ材料を含む、請求項１〜１３及び１５〜１６のいずれか一項に記載の装置又は請求項１４〜１６のいずれか一項に記載のフィルタ。
【請求項１８】
前記フィルタは、前記タブに適合するように事前成形されている、請求項１〜１３及び１５〜１７のいずれか一項に記載の装置又は請求項１４〜１７のいずれか一項に記載のフィルタ。
【請求項１９】
前記フィルタの前記幅広フラップは、前記タブの前記リムの上に嵌合状態で位置するように配置されている、請求項１５に記載の装置。
【請求項２０】
手押し車を流体で洗浄するための方法であって、
タブを地面に配置することであって、前記タブは、前壁の反対側の後壁と、対向する複数の側壁と、基部と、リムと、を備え、前記タブは、前記前壁において切り欠きを有し、前記切り欠きは、前記複数の側壁から間隔を置いた複数の対向側部を有し、前記複数の対向側部は、前記タブの前記リムから、前記リムよりも比較的低くかつ前記基部から間隔を置いた中間部まで延び、前記中間部は、傾斜した向きにある時の手押し車のトレイの少なくとも前部を収容して支持機構を提供するように成形されている、タブを地面に配置することと、
その前壁において前記タブの切り欠きに実質的に対応する切り欠きと、前記前壁の反対側の後壁と、対向する複数の側壁と、基部と、幅広フラップとを備える、フィルタを、タブに取り付けることと、
少なくとも前記手押し車の前部が前記タブの前記切り欠きに収容された状態で、手押し車を前記タブに向かって初期の向きに動かすことと、
前記手押し車のトレイ内の物質が少なくとも部分的に重力を介して前記タブに移動できるように、前記手押し車を前記タブに対して傾斜した向きで持ち上げることと、
前記支持機構によって前記傾斜した向きで前記手押し車を保持することと、
洗浄流体を前記手押し車の前記トレイに加えることと、
前記フィルタ内の固体材料を捕捉することと、
前記フィルタおよび捕捉された固体材料を廃棄することと、を含む、方法。
【発明の詳細な説明】
【技術分野】
【０００１】
関連出願
本出願は、２０１７年９月１２日に出願されたオーストラリア仮特許出願第２０１７９０３６９８号の優先権を主張し、その内容は参照により本明細書に組み込まれる。
【０００２】
本発明は、手押し車などの工具および機器を洗浄するための装置、システム、および方法に関する。
【背景技術】
【０００３】
手押し車などの工具や機器は、さまざまな理由で建築現場で使用されている。手押し車の１つの使用法として、手押し車のトレイ内でのセメントの運搬が挙げられる。使用中、セメントはトレイの内側に固まり、トレイから取り除く必要がある。
【０００４】
トレイを洗浄するには、ユーザーが手押し車を傾けて地面に置いてもよいし、さらに手助けをする別のユーザーが保持してもよい。その後、汚れた水とセメントが地面または排水溝に流し込まれる。同様のプロセスは、洗浄が必要となり得る工具や機器、たとえば、セメントが固まったこてや余分な塗料が付いたブラシなどでも発生する場合がある。
【０００５】
このような工具や機器の洗浄に伴う問題は、固形物や汚染された水を含む廃棄物の取り扱いに関する。手押し車トレイの洗浄に固有の問題は、手押し車が保持しにくいことや、２人の人手が必要になることに関する。別の問題は、周囲の環境を汚染する可能性のある汚れた水と廃セメントの取り扱いに関する。
【発明の概要】
【発明が解決しようとする課題】
【０００６】
本明細書に開示される発明は、上記で特定された問題の１つまたは複数を克服すること、または少なくとも有用な代替物を提供することを目的とする。
【課題を解決するための手段】
【０００７】
第１の態様によれば、手押し車を流体で洗浄するための装置が提供され、この装置は、タブと、フィルタとを備え、前記タブは、前壁の反対側の後壁と、対向する複数の側壁と、基部と、リムと、を備え、前記タブは、前記前壁において切り欠きを有し、前記切り欠きは、前記複数の側壁から間隔を置いた複数の対向側部を有し、前記複数の対向側部は、前記タブの前記リムから、前記リムよりも比較的低い中間部まで延び、前記中間部は、前記手押し車の車輪を上昇させることなく、手押し車のトレイの前部がその上で動かせるように前記基部から間隔を置いて配置されており、前記切り欠きは、傾斜した向きにある手押し車のトレイの少なくとも前部を収容して支持機構を提供するように成形されており、前記フィルタは、前記タブに結合可能であり、かつ、その前壁において前記タブの切り欠きに対応する切り欠きと、前記前壁の反対側の後壁と、対向する複数の側壁と、基部と、前記タブの前記リムと係合するように適合された幅広フラップとを備え、前記支持機構は、前記手押し車のトレイ内の物質が少なくとも部分的に重力を介して前記タブに移動できるように、前記タブに対して傾斜した向きで前記手押し車を少なくとも一時的に保持するように適合されている。
【０００８】
一態様では、レセプタクルは、その前壁に切り欠きを有するタブによって提供され、前記切り欠きは、前記傾斜した向きにある前記トレイの少なくとも前部を収容するように成形されている。
【０００９】
別の態様では、前記タブは、前記前壁の反対側の後壁と、対向する側壁と、基部と、幅広リムと、を備える。
【００１０】
さらに別の態様では、前記支持機構は、前記傾斜した向きにある前記トレイの前記前部と当接するように配置された少なくとも１つのトレイ支持体を備える。
【００１１】
さらに別の態様では、前記支持機構は、前記傾斜した向きにある前記トレイの前記前部の対向する側部を保持するように適合された少なくとも２つのトレイ支持体を備える。
【００１２】
さらに別の態様では、前記支持機構は、２つのトレイ支持体を備え、前記２つのトレイ支持体は、前記２つのトレイ支持体を前記リムに対して上昇させた第１の位置と、前記２つのトレイ支持体と前記リムとの間に前記フィルタが取り付け可能な状態で、前記２つのトレイ支持体が前記リムに隣接して移動可能である第２の位置との間で移動可能であるように、前記タブに移動可能に結合されるようにそれぞれ配置される。
【００１３】
さらに別の態様では、前記２つのトレイ支持体は、前記切り欠きの対向側部に近接して配置される。
【００１４】
さらに別の態様では、前記２つのトレイ支持体は、それぞれ、本体と、前記トレイの前記前部と係合するように適合された、前記本体から延びる突起と、を含む。
【００１５】
さらに別の態様では、前記本体は、前記切り欠きの対向側部に近接する前記タブに枢動可能に結合される。
【００１６】
さらに別の態様では、前記２つのトレイ支持体のそれぞれの前記突起は、前記切り欠きを実質的に横切る方向に互いに向かって配向される。
【００１７】
さらに別の態様では、前記２つのトレイ支持体は、それぞれ、異なるサイズの前記トレイと係合するように適合された複数の突起を含む。
【００１８】
さらに別の態様では、前記支持機構は、前記手押し車を前記傾斜した向きに固定するように配置されたテザーをさらに備える。
【００１９】
さらに別の態様では、前記テザーは、前記切り欠きの対向側部上で前記タブに解放可能に結合されるように適合された弾性ストラップである。
【００２０】
さらに別の態様では、前記切り欠きは、前記傾斜した向きで前記トレイの前記前部を載置するように成形され、これによって前記支持機構を提供する。
【００２１】
さらに別の態様では、前記切り欠きは、前記傾斜した向きで前記トレイの前記前部の下面と係合するように成形され、これによって前記支持機構の下面支持体を提供する。
【００２２】
さらに別の態様では、前記切り欠きは、前記リムから、前記リムよりも比較的低い中間部まで延びる対向する側部を含む。
【００２３】
さらに別の態様では、前記中間部は、前記タブに対して前記手押し車の車輪を上昇させることなく、前記トレイがその上で動かせるように配置される。
【００２４】
さらに別の態様では、前記中間部は、前記基部に対して持ち上げられており、前記前壁の少なくとも一部が前記中間部と前記底部との間に延在している。
【００２５】
さらに別の態様では、前記中間部は、その上部に沿って延びる中間リップを含む。
【００２６】
さらに別の態様では、前記中間リップは実質的に水平であり、前記タブの前側から比較的外向きに延びる。
【００２７】
さらに別の態様では、前記対向する側部は、前記傾斜した向きで前記手押し車の前記トレイを載置するように成形されている。
【００２８】
さらに別の態様では、前記対向する側部は、前記切り欠きが前記中間部に向かって狭まるように成形されている。
【００２９】
さらに別の態様では、前記対向する側部は、前記中間部に向かって内向きに傾斜している。
【００３０】
さらに別の態様では、前記側部は、前記手押し車の前記トレイが前記傾斜した向きでもたれる側部リップを備える。
【００３１】
さらに別の態様では、前記フィルタは、前記タブの内面を実質的に覆うように成形されている。
【００３２】
さらに別の態様では、前記フィルタは、前記タブの内部形状に対応するように成形されたフィルタ本体を備える。
【００３３】
さらに別の態様では、前記フィルタは、その前壁に前記タブの前記切り欠きに対応する切り欠きを含む。
【００３４】
さらに別の態様では、前記フィルタは、前記前壁の反対側の後壁と、対向する側壁と、基部と、前記後壁、対向する側壁の上部に実質的に延び、かつ前記前壁の上部に少なくとも部分的に延びる幅広フラップと、を備える。
【００３５】
さらに別の態様では、前記フィルタの前記幅広フラップは、前記タブの前記幅広リムの上に前記嵌合状態で位置するように配置されている。
【００３６】
さらに別の態様では、前記フィルタは、前記嵌合状態で前記切り欠きの上部に延びるように適合された中間フラップを備える。
【００３７】
さらに別の態様では、前記フィルタは、ハンドルを備える。
【００３８】
さらに別の態様では、前記フィルタの前記幅広フラップは、複数のハンドルを備える。
【００３９】
さらに別の態様では、前記対向する側壁、後壁、および中間フラップにおける幅広フラップの部分は、それぞれハンドルを備える。
【００４０】
さらに別の態様では、前記フィルタは、前記流体から固体材料を濾過するように適合されたフィルタ材料を含む。
【００４１】
さらに別の態様では、前記フィルタ材料は、前記タブに適合するように事前成形されている。
【００４２】
さらに別の態様では、前記フィルタ材料は、紙、セルロース、麻、バナナ繊維、およびリサイクル繊維のうちの１つまたは複数を含む。
【００４３】
さらに別の態様では、前記タブは出口を含み、前記タブの内面が、前記フィルタを通って前記出口に向かう流体の流れを促進するように成形されている。
【００４４】
さらに別の態様では、前記フィルタを通る流体の流れを促進するように、前記フィルタに隣接する前記タブの内面の少なくとも一部が滑らかでない、請求項１に記載の装置。
【００４５】
さらに別の態様では、前記フィルタに隣接する前記タブの内面の少なくとも一部は、前記フィルタを通る流体を補助するように配置された、波形、突起、隆起、開口部、凹部のうちの１つまたは複数を含む。
【００４６】
さらに別の態様では、前記タブは、前記基部に近接して出口を含む。
【００４７】
さらに別の態様では、前記出口は、ホースに取り付け可能であるように構成される。
【００４８】
さらに別の態様では、前記出口は、処理装置に取り付け可能であるように構成される。
【００４９】
さらに別の態様では、前記流体処理装置は、そこを通過する流体のｐＨを変更するように適合されている。
【００５０】
さらに別の態様では、前記装置は、タブおよびフィルタの上部に着座するように適合された取り外し可能なトレイをさらに備える。
【００５１】
さらに別の態様では、前記装置は、濾過された流体を前記タブから回収するように適合されたリザーバをさらに備える。
【００５２】
さらに別の態様では、前記リザーバは、前記タブおよび前記手押し車が配置可能な本体を備える。
【００５３】
さらに別の態様では、前記本体は、前記タブおよび前記手押し車が配置可能なプラットフォームと、前記プラットフォームへの傾斜路とを提供する。
【００５４】
さらに別の態様では、前記タブの前記基部は、前記手押し車が前記傾斜した向きで支持可能である初期状態と、傾斜した排水状態で前記タブが自立している傾斜状態との間で前記タブが移動できるように傾斜している。
【００５５】
さらなる主要な態様によれば、上記および本明細書で定義されるような装置に適合されたフィルタが提供される。
【００５６】
さらなる主要な態様によれば、上記および本明細書で定義されるような装置のための流体処理装置が提供される。
【００５７】
さらなる主要な態様によれば、上記および本明細書で定義されるような装置のためのリザーバを備えるプラットフォームが提供される。
【００５８】
さらなる主要な態様によれば、上記および本明細書で定義されるような装置のためのタブが提供される。
【００５９】
さらなる主要な態様によれば、手押し車から洗い流した流体から固体材料を濾過するタブのためのフィルタが提供され、前記フィルタは、その前壁に前記タブの切り欠きに対応する切り欠きと、前記前壁の反対側の後壁と、対向する側壁と、基部と、前記後壁、対向する側壁の上部に実質的に延び、かつ前記前壁および前記切り欠きの上部に少なくとも部分的に延びる幅広フラップと、を備える。
【００６０】
一態様では、前記フィルタは、前記タブに取り付けられるように事前成形されている。
【００６１】
別の態様では、前記幅広フラップは、１つまたは複数のハンドルを備える。
【００６２】
さらに別の態様では、前記幅広フラップは、前記切り欠き、後壁、および前記対向する側壁のそれぞれに隣接するハンドルを備える。
【００６３】
さらに別の態様では、前記フィルタは、前記流体から固体材料を濾過するように適合されたフィルタ材料を含む。
【００６４】
さらに別の態様では、前記フィルタ材料は、可撓性がある。
【００６５】
さらに別の態様では、前記フィルタ材料は、紙、セルロース、麻、バナナ繊維、およびリサイクル繊維のうちの１つまたは複数を含む。
【００６６】
さらなる主要な態様によれば、流体を使用して工具または機器を洗浄するための装置が提供され、この装置は、レセプタクルと、前記レセプタクルに嵌合状態で取り付け可能なフィルタと、前記流体および任意の除去された固体が前記レセプタクルの前記フィルタで回収できるように、前記レセプタクルに対して前記洗浄工具または機器を保持するように適合された支持機構と、を備える。
【００６７】
一態様では、前記装置は、レセプタクルを含むタブを備え、前記フィルタは、前記タブの内面を実質的にぴったりと覆うように成形される。
【００６８】
別の態様では、前記タブは出口を含み、前記タブの内面が、前記フィルタを通って前記出口に向かう流体の流れを促進するように成形されている。
【００６９】
さらに別の態様では、前記フィルタを通る流体の流れを促進するように、前記フィルタに隣接する前記タブの内面の少なくとも一部が滑らかまたは平坦でない。
【００７０】
さらに別の態様では、前記フィルタに隣接する前記タブの内面の少なくとも一部は、前記フィルタを通る流体を補助するように配置された、波形、突起、隆起、開口部、凹部のうちの１つまたは複数を含む。
【００７１】
さらに別の態様では、前記タブは、前記基部に近接して出口を含む。
【００７２】
さらなる主要な態様によれば、手押し車を流体で洗浄するためのシステムまたはキットが提供され、このシステムは、レセプタクルと、前記レセプタクルに嵌合状態で取り付け可能な事前成形されたフィルタと、前記手押し車のトレイ内の物質が少なくとも部分的に重力を介して前記レセプタクルに移動できるように、前記レセプタクルに対して傾斜した向きで前記手押し車を保持するように適合された支持機構と、を有するタブを備える。
【００７３】
さらなる主要な態様によれば、手押し車を流体で洗浄するための方法が提供され、この方法は、タブを地面に配置することと、前記タブのレセプタクルにフィルタを取り付けることと、少なくとも前記手押し車の前部が前記タブの切り欠きに収容され、前記レセプタクルの上部にある状態で、手押し車を前記タブに向かって初期の向きに動かすことと、前記手押し車のトレイ内の物質が少なくとも部分的に重力を介して前記レセプタクルに移動できるように、前記手押し車を前記レセプタクルに対して傾斜した向きで持ち上げることと、支持機構によって前記傾斜した向きで前記手押し車を保持することと、洗浄流体を前記手押し車の前記トレイに加えることと、前記フィルタ内の固体材料を捕捉することと、前記フィルタおよび捕捉された固体材料を廃棄することと、の内の１つまたは複数を含む。
【００７４】
さらなる主要な態様によれば、手押し車を洗浄するためのスタンドが提供され、このスタンドは、前記手押し車のトレイ内の材料または流体が少なくとも部分的に重力を介して前記トレイから支持面に向かう方向に移動できるように、前記手押し車を前記トレイとともに前記支持面に対して傾斜した向きで支持するように適合されている。
【００７５】
さらなる主要な態様によれば、手押し車を洗浄するためのシステムが提供され、このシステムは、レセプタクルと、前記手押し車のトレイ内の材料または流体が少なくとも部分的に重力を介して前記レセプタクルに移動できるように、前記レセプタクルに対して傾斜した向きで前記手押し車を支持するように適合されたスタンドと、前記トレイと前記レセプタクルとの間に配置可能なフィルタと、を備える。
【００７６】
さらなる主要な態様によれば、手押し車を洗浄する方法が提供され、この方法は、手押し車をそのトレイを少なくとも部分的にレセプタクルの上部に配置して、傾斜した向きで支持することと、流体材料混合物が前記トレイからフィルタを通って前記レセプタクルに実質的に通過するように前記フィルタを配置することと、前記トレイ内の前記流体材料混合物が少なくとも部分的に重力を介して前記レセプタクルに移動できるように、洗浄流体を前記手押し車の前記トレイに加えることと、を含み、ここで、前記流体材料混合物によって運ばれる少なくとも一部の固体材料は前記フィルタによって捕捉可能である。
【図面の簡単な説明】
【００７７】
本発明は、非限定的な例としてのみ、添付の図面を参照して説明される。
【００７８】
【図１】図１は手押し車を洗浄するための装置の第１の例を示す正面斜視図である。
【図２】図２は装置の第１の例を示す側面図である。
【図３】図３は装置の第１の例を示す分解図である。
【図４】図４は装置の第１の例を示す正面図である。
【図５】図５は装置の第１の例を示す上面図である。
【図６】図６は装置の第１の例および傾斜した向きにある手押し車を示す、使用時に隠れている箇所の詳細の側面図である。
【図７】図７は装置の第１の例および傾斜した向きにある手押し車を示す後部斜視図であり、その支持機構のトレイ支持体が手押し車と係合した第２の位置にある。
【図８】図８は装置の第１の例を示す後部斜視図であり、その支持機構のトレイ支持体が手押し車と係合する前の第１の位置にある。
【図９】図９は装置の第１の例を示す側面断面図である。
【図１０】図１０は装置の第１の例およびその中にリザーバを有するプラットフォーム上に配置された傾斜した向きにある手押し車を示す側面図である。
【図１１】図１１は装置の第１の例およびプラットフォーム上に配置された傾斜した向きにある手押し車を示す正面斜視図である。
【図１２】図１２は手押し車を洗浄するための装置の第２の例を示す正面斜視図である。
【図１３】図１３は装置の第２の例を示す分解図である。
【図１４】図１４は装置の第２の例を示す上面図である。
【図１５】図１５は装置の第２の例を示す側面図である。
【図１６】図１６は装置の第３の例を示す後部側面斜視図である。
【図１７】図１７は装置の第３の例を示す側面断面図である。
【図１８】図１８は装置の第３の例を示す分解図である。
【図１９】図１９は装置の第３の例を示す正面下方側面図である。
【図２０】図２０は装置の第３の例を示す上面図である。
【図２１】図２１は展開状態にある手押し車を洗浄するための装置の第４の例のスタンドを示す正面斜視図である。
【図２２】図２２は展開状態にある手押し車を洗浄するためのスタンドを示す後部斜視図である。
【図２３】図２３は展開状態にある手押し車を洗浄するためのスタンドを示す正面図である。
【図２４】図２４は展開状態にある手押し車を洗浄するためのスタンドを示す後部図である。
【図２５】図２５は展開状態にある手押し車を洗浄するためのスタンドを示す側面図である。
【図２６】図２６は収納状態に向けて折りたたまれているスタンドを示す斜視図である。
【図２７】図２７は傾斜しかつスタンド上に上昇させた状態にある手押し車を示す側面図である。
【図２８】図２８はスタンドと、フィルタを有する容器とを備える、手押し車を洗浄するためのシステムを示す斜視図である。
【発明を実施するための形態】
【００７９】
第１の例
図１から図１１を参照すると、例えば図６に示されているように、手押し車１２などの工具および機器を洗浄するための装置１０の第１の例が開示されている。このような工具および機器は、水などの洗浄流体を使用して、固体材料、スラリー、および破片などの物質を除去することによって洗浄してもよい。
【００８０】
装置１０は、レセプタクル１６を提供するタブ１４と、レセプタクル１６に嵌合状態で取り付けられるように成形されたフィルタ１８と、手押し車のトレイ内の物質が少なくとも部分的に重力を介してレセプタクルに移動できるように、レセプタクル１６に対して傾斜した向きで手押し車１２を少なくとも一時的に保持するように適合された支持機構１９と、を備える。
【００８１】
傾斜した向きでは、手押し車１２のトレイ２０内の物質が少なくとも部分的に重力を介して前記レセプタクル１６に移動できる。例えば、水などの洗浄流体をトレイ２０に加えて、物質をレセプタクル１６に洗い流し、固体材料が少なくとも部分的にフィルタ１８によって捕捉され、水はフィルタ１８を通過するようにしてもよい。
【００８２】
タブ１４は、切り欠き２４を有する前壁２２と、前壁２２の反対側の後壁２６と、対向する側壁２８と、基部３０と、後壁２６、対向する側壁２８の実質的に上部に延び、かつ前壁２２の少なくとも部分的にほぼ上部に延びる幅広リム３２と、を備える。幅広リム３２は、それぞれの壁２２、２６、２８と同じ幅であってもよいし、またはそれより広くてもよい。
【００８３】
タブ１４の壁２２、２６、２８は、レセプタクル１６への開口部３４を画定し、基部３０の平面形状領域が開口部３４よりも小さくなるように基部３０に向かってわずかに先細りしている。
【００８４】
切り欠き２４は、トレイ２０の少なくとも前部３６を傾斜した向きで収容するように成形され、切り欠き２４とトレイ２０との間の嵌合に応じて、トレイ２０を載置し、支持してもよい。一部の例では、切り欠き２４は、手押し車１２を傾斜した向きで支持および保持することによって、支持構成１９を提供してもよい。しかしながら、他の例では、切り欠き２４は、レセプタクルへのアクセスを単に提供するのみで、トレイ２０と直接係合しなくてもよい。この例では、切り欠き２４は、以下でさらに詳細に説明するように、トレイ支持体４８と組み合わせて支持機構１９の一部を形成する。
【００８５】
切り欠き２４は、幅広リム３２から、リム３２よりも比較的低く、基部３０よりも比較的上部にある中間部４０まで延びる対向する側部３８を含む。中間部４０の高さは、レセプタクル１６に対して手押し車１２の車輪４２を上昇させることなく、トレイ２０がその上で動かせるように配置され、これによって、手押し車１２全体を上昇させたり、持ち上げたりすることなく、車輪４２は概して地面との接触を保つことができる。
【００８６】
中間部４０は、その上部に沿って延びる中間リップ４４を含む。中間リップ４４は実質的に水平であり、タブ１４の前壁２２から比較的外向きに延びる。対向する側部３８は、前記傾斜した向きで手押し車１２のトレイ２０を載置するように成形され、切り欠き２４が中間部４０に向かって狭まるように湾曲または傾斜していてもよい。側部３８は、手押し車１２のトレイ２０が傾斜した向きでもたれる側部リップ４６を備える。
【００８７】
支持機構１９は、傾斜した向きにあるトレイ２０の前部３６と当接するように配置された一対のトレイ支持体４８を備える。一対のトレイ支持体４８は、手押し車１２の転倒を阻止するための停止部を提供すると同時に、トレイ２０のリムをぴったりと保持する保持具を提供するように機能する様々な形態を取り得る。
【００８８】
より詳細には、この例では、トレイ支持体４８は、切欠き２４に隣接して前壁２２に枢動可能に結合された本体５０と、トレイ２０の前部３６と係合するように適合された本体５０から延びる複数の突起５２とを備える。
【００８９】
この配置では、トレイ支持体４８は、図８に示すように、第１の位置から移動可能であり、この位置では、トレイ支持体４８がリム３２から離れるように回転して、フィルタ１８を取り付けることができる。フィルタ１８が取り付けられると、トレイ支持体４８は、フィルタ１８の上部のリム３２に隣接して回転され得る。したがって、トレイ支持体４８は、フィルタ１８を適所に捕捉して固定するようにも機能する。
【００９０】
この例では、突起５２は、間により狭いギャップを画定する後方の最大突起５４と、間に比較的大きいギャップを画定する前方の最小突起５６とを含む。これにより、突起５２が異なるサイズのトレイ２０と当接することが可能になる。突起５２の間のノッチ５８はまた、手押し車を傾斜した向きで保持するために、トレイ２０のリムをつかむことを補助する。一部の例では、トレイ支持体４８は、特に切り欠き２４がトレイ２０をぴったりと保持するように適合されている例では省略されてもよいことに留意されたい。さらに、他の例では、トレイ支持体４８は、以下の第２の例に関して示されるように、タブ１４と一体的に形成されてもよい。
【００９１】
支持機構１９は、手押し車１２を傾斜した向きに固定するように配置されたテザー６０をさらに備えてもよい。この例では、テザー６０は、その対向する端部にフック６４を有し、切り欠き２４の対向側部上でタブ１４に解放可能に結合されるように適合された弾性ストラップ６２である。ストラップ６２を手押し車１２の周りに通して、手押し車１２を、特により強力な洗浄およびこすり洗いのために固定してもよい。
【００９２】
次に、フィルタ１８をさらに詳細に参照すると、フィルタ１８は、レセプタクル１６の内面６２を実質的に覆うように事前成形されてもよい。フィルタ１８は、タブ１４の内部形状に対応するように成形されたフィルタ本体６４を備える。フィルタ本体６４は、切り欠き６８を有する前壁６６と、後壁７０と、対向する側壁７２と、基部７４とを含む。切り欠き６８は、タブ１４の切り欠き２４に対応する。
【００９３】
幅広フラップ７６が、後壁７０、対向する側壁７２の実質的に上部に延び、かつ前壁６６の少なくとも部分的に上部に延びる。フィルタ１８の前記幅広フラップ７６は、タブ１４の幅広リム３２の上に嵌合状態で位置するように配置されている。フィルタ１８は、嵌合状態で切り欠き２４の上部に延びるように適合された中間フラップ７８を備える。この例では、対向する側壁、後壁、および中間フラップにおける幅広フラップ７６は、それぞれハンドル８０を備える。ハンドル８０は、概して、タブ１４を誇張して延ばし、フィルタ１８の握りおよび取り外しを容易にすることを可能にする。
【００９４】
材料に関しては、フィルタ１８は、紙、セルロース、麻、バナナ繊維、ナイロン、ポリエステル、合成繊維、およびリサイクル繊維のうちの１つまたは複数を含むがこれらに限定されない様々な材料から形成されもよい。フィルタ材料は、流体から固体材料を濾過するように適合されている。例えば、濾過された固体材料は、セメントおよび砂や砂利などその一部であってもよい。流体は、フィルタ１８を通過してレセプタクル１６の基部３０に向かう水を実質的に含む。
【００９５】
この例では、フィルタ材料は、約１８０ＧＳＭの重量と５〜１０μｍの細孔保持サイズを有する単層セルロースを備えた濾紙であってもよい。濾紙は、エピクロロヒドリン樹脂で湿式強化してもよい。洗浄流体がフィルタから排出されるまでに約２０分かかってもよい。濾過プロセスは、「フィルタケーキ」として知られる現象によって補助されてもよい。これは、フィルタの最下点にある捕獲された固体／堆積物が二次フィルタとして機能する場合を指す。
【００９６】
タブ１４は、ここを通ってレセプタクル１６が排出する出口８２を含み、タブ１４のレセプタクル１６の内面６２が、フィルタ１８を通って出口８２に向かう流体の流れを促進するように適合されている。レセプタクル１６の内面６２は、概して、タブ１４の中心かつ後方に向かって傾斜し、出口８２は、タブ１４の中心かつ後方に設けられる。
【００９７】
フィルタ１８に隣接する内面６２の少なくとも一部は、例えば、フィルタ１８に対して滑らかではない、または平坦でないことにより、フィルタ１８を通る流体の流れを促進するように適合されている。より詳細には、この例では、フィルタ１８に隣接する内面６２は、フィルタ１８を支持する複数の隆起８４および複数の谷部８６の形態の表面形状を含み、流体がフィルタ１８を通って、出口８２に向かって流れることを可能にするために、谷部８６を介して空間または導管を本質的に提供する。
【００９８】
この例では、隆起８４および谷部８６が設けられているが、内面６２には、波形、突起、隆起、開口部、凹部の１つまたは複数などであるがこれらに限定されない、同様の機能を提供する様々な表面形状を設けてもよい。表面形状はまた、別個の部品またはインサート、例えばフィルタ１８の下に適合するワイヤーメッシュバスケットによって提供されてもよく、それらはすべて本明細書で企図される。
【００９９】
出口８２をより詳細に参照すると、出口８２は、ホース８８および／または流体処理装置９０と嵌合可能であるように配置されている。この例では、流体処理装置９０は、そこを通過する流体のｐＨを変更するように適合されている。流体処理装置９０は、ハウジング９２と、ハウジング９２内のステンレス鋼メッシュバッグ９４内に保持されたイオン交換媒体９３とを備える。流体処理装置９０は、一部の例では省略されてもよいことに留意されたい。イオン交換媒体９３は、強酸性カチオン交換樹脂などであるがこれに限定されないカチオン交換樹脂であってもよいし、またはこれを含んでもよい。
【０１００】
一部の例では、装置１０は、フィルタ１８自体を省略し、出口８２と流体処理装置９０またはホース８８との間に前フィルタまたは後フィルタをおそらく備えた流体処理装置９０を含んでもよいことに留意されたい。本明細書では、そのような構成が企図されている。
【０１０１】
装置１０は、タブ１４およびフィルタ１８の上部に着座するように適合された取り外し可能なトレイまたはタブ９６をさらに備えてもよい。この例では、取り外し可能なトレイ９６は、排液孔およびリム３２の上部に着座する複数の翼９８を備えたレセプタクル９７を備える。取り外し可能なトレイまたはタブ９６を使用して、より小さな工具および機器を洗浄してもよい。一部の例では、切り欠き２４を省略してもよく、タブ１４およびフィルタ１８を使用して、手押し車以外の工具および機器を洗浄してもよいことに留意されたい。
【０１０２】
一部の例では、装置１０は、濾過された流体をタブ１４から回収するように適合されたリザーバ９９をさらに備えてもよい。リザーバ９９は、タブ１４および手押し車が配置可能なプラットフォーム８７を提供する本体８５内に提供される。本体８５は、プラットフォーム８７への傾斜路８９を備える。リザーバ９９は、ホース８８および／または流体処理装置９０に接続可能な入口９１を備える。リザーバ９９は、一時的な廃棄物貯蔵が必要とされる状況で用いられてもよい。
【０１０３】
タブ１４および他の構成要素は、一般に、ポリエチレン、ナイロン、およびポリプロピレンなどのプラスチック材料から形成され得るが、これらに限定されない。装置の構成要素は、一緒に機能するシステムまたはキットの一部を形成すると見なされてもよい。したがって、タブ、フィルタ、プラットフォームリザーバ、および流体処理装置などの装置の構成要素は、別個に提供されてもよい。
【０１０４】
使用時に、手押し車１２を流体で洗浄する方法は、以下のステップの１つまたは複数を含んでもよい。まず、タブ１４を地面またはリザーバ９９のプラットフォーム８７上に配置する。トレイ支持体４８は上昇させてもよく、フィルタ１８はタブ１４のレセプタクル１６に取り付けられる。次に、トレイ支持体４８を下げて、フィルタ１８を固定してもよい。
【０１０５】
次に、少なくとも手押し車１２の前部３６がタブ１４の切り欠き２４に収容され、レセプタクル１６の上部にある状態で、手押し車１２をタブ１４に向かって初期の向きに動かす。次に、手押し車１２のトレイ２０内の物質が少なくとも部分的に重力を介してレセプタクル１６に移動できるように、手押し車１２をレセプタクル１６に対して傾斜した向きに動かす。トレイは、支持機構１９の一部を形成するトレイ支持体４８と当接して、手押し車１２を傾斜した向きに保持する。手押し車１２は、テザー６０で傾斜した向きに任意に保持してもよい。
【０１０６】
次に、水などの洗浄流体を手押し車１２のトレイ２０に加え、物質、または固形物および水を含む混合物がレセプタクル１６内に洗い流される。手押し車１２はこの時点で取り外してもよいし、そのままにして乾燥させてもよい。
【０１０７】
次に、固体材料がフィルタ１８内に実質的に捕捉され、流体が出口８２を介してホース８８および／または流体処理装置９０に入る。次に、流体を処理して、水に近いｐＨ、例えば、約ｐＨ７に調整する。流体がフィルタ１８を通過すると、手押し車１２が取り外され（まだ取り外されていない場合）、トレイ支持体４８を上昇させてフィルタ１８を解放してもよい。次に、ハンドル８０によってフィルタ１８を取り外し、フィルタおよび固体材料を廃棄してもよい。１つのフィルタ１８を使用して、複数の手押し車、機器、および工具を洗浄してもよいことに留意されたい。ただし、セメントで目詰まりするなど、濾過を阻害する程度に汚れたら、フィルタを交換してもよい。
【０１０８】
有利には、この装置は、廃水およびセメントなどの任意の固体材料を捕捉しながら、手押し車および工具を洗浄することを可能にする。フィルタは取り外して捕捉した材料を安全に廃棄でき、残りの水は廃棄または処理のために回収可能である。
【０１０９】
支持構造により、手押し車を両手をふさぐことなく洗浄のために保持でき、統合された切り欠きにより、手押し車全体を持ち上げることなく手押し車を傾けることができる。工具は、廃水を含んだまま、手押し車と工具の同時洗浄を可能にするタブの上部の洗浄トレイによって支持されてもよい。
【０１１０】
第２の例
次に図１２から１５を参照すると、同様の参照符号の並びが同様の部分（すなわち、１０、１１０など）を示す装置１１０の第２の例が提供されている。装置１１０のこの第２の例の多くの構成要素は、上述の第１の例と同様であり、ここでは説明を繰り返さない。一方、主要な機能と違いに焦点を当てて説明する。
【０１１１】
装置１１０の第２の例をより詳細に参照すると、装置１１０の第２の例は、第１の例と実質的に同様である。しかしながら、タブ１１４は、組み立てられた状態で互いに嵌合する下側タブ部１１５および上側タブ部１１７を含む２つの部分で提供される。
【０１１２】
上側タブ部１１７は、その前壁１２２に、手押し車１２のトレイ２０を支持し載置するように成形された切り欠き１２４を有する支持機構１１９を含み、トレイ支持体１４８が、上側タブ部１１７の対向する側壁１２８に一体的に形成されている。トレイ支持部４８は、互いに向き合って、トレイ２０の幅よりも狭いギャップを画定し、傾斜した向きでトレイを停止させる複数の突起１５２を備える。
【０１１３】
第１の例と同様に、突起１５２は、間により狭いギャップを画定する後方の最大突起１５４と、間に比較的大きいギャップを画定する前方の最小突起１５６とを含む。これにより、突起１５２が異なるサイズのトレイ２０と当接することが可能になる。装置１１０はまた、トレイ支持体４８に対して傾斜した向きで手押し車を保持するためのテザー６０を含んでもよい。
【０１１４】
下側タブ部１１５は、基部１３０と、対向する側壁１２９と、対向する前壁および後壁１３１と、幅広リム１３２とを備える。下側タブ部１１５は、フィルタ１１８がその中にぴったりと収容される開口部１３４を画定する略長方形のレセプタクル１１６を提供する。第１の例のように、レセプタクル１１６の内面１６２は、平坦でも滑らかでもなく、フィルタ１１８を通る流体を移動しやすくするための複数の隆起１８４および複数の谷部１８６を含む。
【０１１５】
しかしながら、もちろん、開口部、起伏などの他の表面形状が利用されてもよい。出口１８２は、ホース１８８および／または流体処理装置１９０を取り付け得る基部１３０に隣接する後壁に配置される。流体処理装置１９０は、第１の例に関連して既に説明されており、ここでは再度説明しない。
【０１１６】
この例では、フィルタ１１８は、下側タブ部１１５に取り付けられるように長方形の形状であり、前壁１６８と、後壁１７０と、対向する側壁１７２と、基部１７４とを備える。幅広フラップ１７６は、壁１６８、１７０、１７２の周りに延びている。幅広フラップ１７６は、下側タブ部１１５の幅広リム１３２を超えて延びるような寸法である。
【０１１７】
したがって、組み立てられた状態では、図１２に示すように、幅広フラップ１７６は、使用中にフィルタ１１８を定位置に保持するのを助ける上側タブ部１１７と下側タブ部１１５との間に捕捉され得る。フィルタ１１８の材料は、第１の例と同じであってよく、ここでは説明を繰り返さない。フィルタ１１８は、図１３に示すように、上側タブ部１１７および下側タブ部１１５が分解されるときにフィルタ１１８を取り外すためにアクセス可能なハンドル８０を備えてもよい。第２の例はまた、使用時に上側タブ部１１８の上に着座する取り外し可能なトレイ１９６を備えてもよい。
【０１１８】
使用方法も第１の例と同様であってもよい。しかしながら、もちろん、フィルタ１１８は、上側タブ部１１７が下側タブ部１１５に取り付けられる前に、下側タブ部１１５内に設置される。
【０１１９】
第３の例
次に図１６から２０を参照すると、同様の参照符号の並びが同様の部分（すなわち、１０、２１０など）を示す装置２１０の第３の例が提供されている。装置２１０のこの第３の例の多くの構成要素は、上述の第１の例と同様であり、ここでは説明を繰り返さない。一方、主要な機能と違いに焦点を当てて説明する。
【０１２０】
装置２１０の第３の例をより詳細に参照すると、装置２１０の第３の例は、やはり第１の例と実質的に同様である。しかしながら、タブ２１４は、初期の略水平な位置から、図１６および１７に示される斜めの位置まで移動可能であるように成形されている。
【０１２１】
より詳細には、この例では、タブ２１４は、段部２１９が下部２１５と上部２１７との間に設けられるように上部２１７から段差のある下部２１５を有するレセプタクル２１６を備える。段部２１９により、タブ１４は、下部２１５の基部２３０を下にして置かれるか、またはタブが下部２１５および上部２１７のそれぞれの角部２２１、２２３を下にして置かれる斜めの位置に転がされることができる。
【０１２２】
段部２１９は、図１７に示すように、タブ１４が物質および物質内の固体材料で満たされ、重力を介して下部２１５にさらに多く蓄積または沈降することを可能にするように機能する。このた傾斜した向きでは、段部２１９は、下部２１５および上部２１７と物質との間に仕切り２２７を提供し、すなわち、上部２１７には固体材料がより少ない流体が存在する。これは、上部にフィルタ２１８をブロックする固体材料が少ないことにより、フィルタ２１８がより効果的に機能するのを助ける。段部２１９はまた、ホース２８８および／または流体処理装置２９０が配置され得る隅部２２９を提供する。
【０１２３】
この例では、タブ２１４は、下部２１５および上部２７１に２つの出口２８２ａおよび２８２ｂを備える。図１７に示すように、２つの出口２８２ａおよび２８２ｂは、回収された固体材料の上部に排出できるように、斜めの位置に上昇させている。
【０１２４】
２つの出口２８２ａおよび２８２ｂは、導管２８３ａ、２８３ｂを介して内部的に流体処理装置２９０に接続され、これにより、斜めの位置にあるレセプタクル２１６の下部２１５および上部２１７の最下点で経路ＡおよびＢを介した流体排出を可能にする。次に、流体処理装置２９０は、第１の例と同様の方法でホース２８８に接続してもよく、ここでは再び説明しない。
【０１２５】
フィルタ２１８は、第１の例に関連して上述したのと同様の方法で形成してもよい。しかしながら、もちろん、フィルタ２１８の形状は、タブ２１４の形状に対応するための段部２３１も含む。装置２１０は、切り欠き２２４と、トレイ支持体２４８とを備え、これらは第１の例に関連して上記で説明したものと同様であるため、これらの部品は本明細書では再び説明しない。
【０１２６】
使用中、タブ２１４は、最初に、手押し車１２の前部３６が切り欠き２２４に収容され、トレイ支持体４８によって支持または配置される初期位置にあってもよい。テザー２６０を使用して、手押し車１２をタブ２１４に保持および固定してもよい。この例では、手押し車１２の係留によって、アセンブリ全体を自立させ、洗浄を容易にし得ることに留意されたい。
【０１２７】
手押し車１２が洗浄されると、固体および水を含む物質は、タブ２１４のレセプタクル２１６内にある。手押し車１２をタブ２１４から取り外し、タブ２１４を斜めの位置まで回転させて、出口２８２ａ、２８２ｂからの排出を可能にしてもよい。タブ２１４は、必要に応じて、濾過および排出しやすくするために揺り動かされてもよい。フィルタ２１８は、汚れたら取り外し、必要に応じて交換してもよい。
【０１２８】
第４の例
図２１〜２８を参照すると、手押し車３１２を洗浄するためのスタンド３１０の形態の装置３０５の第４の例が示されている。スタンド３１０は、図２８に示すように、手押し車３１２のトレイ３１６内の材料または流体が少なくとも部分的に重力を介してトレイ３１６から支持面３１４に向かう方向に移動できるように、支持面３１４に対して手押し車３１２を傾斜した向きに上昇させるように支持するように適合されている。
【０１２９】
スタンド３１０は、持ち上げられた傾斜した向きで、トレイ３１６からの材料または流体がレセプタクル３２２に向けられ、レセプタクル３２２に捕捉されるように、支持面３１４に対して配置されたレセプタクル３２２をさらに備えるシステム３２０の一部として提供されてもよい。
【０１３０】
レセプタクル３２２は、トレイ３１６内の材料または流体が少なくとも部分的に重力を介してトレイ３１４からレセプタクル３２２に向かう方向に移動できる任意の形態をとることができる。レセプタクル３１４は、流体または材料を回収、捕捉、誘導、または漏斗するための任意の適切な手段であってもよく、容器、タブ、コンテナ、パイプ、漏斗、ドレンなどであってもよい。しかしながら、好ましくは、レセプタクル３２２は、タブまたは容器３２４である。支持面３１４の配置は、段付き面、または直線または傾斜地面などの複数の面を含んでもよい。
【０１３１】
スタンド３１０をより詳細に見ると、スタンド３１０は、手押し車３１２の第１の部分３３０を支持可能な第１の支持体３２８と、手押し車３１２を少なくとも一時的に傾斜した向きに保持するように、第１の部分３３０の上部に上昇させた手押し車３１２の第２の部分３３４を支持するように適合された第２の支持体３３２と、を有するフレーム３２６を備える。スタンド３１０は、スタンド３１０の前端または入口端３４３に向かう第１の脚部３４２と、スタンド３１０の対向する端部３４５に向かう第２の脚部３４４とを備える。
【０１３２】
第１の支持体３２８は、手押し車３１２の車輪端３３６を支持するように構成され、第２の支持体３３２は、手押し車３１２を少なくとも一時的に傾斜した向きに保持するように、トレイ３１６およびハンドル３３８の少なくとも一方を支持するように構成される。
【０１３３】
この例では、第１の支持体３２８は、手押し車を傾斜した向きに旋回させ、第２の支持体３３２と係合させ得る車輪止め３４０を備える。より詳細には、第１の支持体３２８は、間隔を置いた２つの長手方向フレーム部材３４６を有するフレーム３２６の略水平な部分であり、間隔を置いた２つの長手方向フレーム部材３４６は、これらのそれぞれに旋回可能に結合された第１および第２の脚部３４２、３４４によって支持面１４の上部に上昇させている。
【０１３４】
車輪止め３４０は、長手方向フレーム部材３４６の後方に延在する相互接続する一対のクロス部材３４８として提供されてもよい。第１の支持体３２８は、ここに示すように、クロス部材３２８を備えたオープンフレームなどの様々な形態を取ってもよく、または第１の支持体３２８は、手押し車３１２の車輪端３３６を支持するためのプラットフォームなどの手段であってもよく、またはこれを備えてもよい。
【０１３５】
第２の支持体３３２は、手押し車のトレイ３１６を傾斜した向きに支持するように配置された一対のアーム３５０の形で提供されてもよい。一対のアーム３５０は、（ばね鋼などから形成されるなど）弾性的にばね力をかけられて、トレイ３１６の対向する側面を弾性的に保持してもよい。アーム３５０は広がっており、アーム３５０の間にトレイ３１６を取り付けやすくするために外向きに曲がった端部３５６を備える。
【０１３６】
スタンド３１０は、第１の支持体３２８につながり、これに枢動可能に結合され、手押し車３１２が第１の支持体３２８に向かって傾斜路３５２を上るのを可能にするように配置された傾斜路３５２を含む。この例では、第１および第２の脚部３４２、３４４、および傾斜路３５２は、手押し車３１２が傾斜した向きに支持可能な展開状態と略平らな収納状態との間でスタンド３１０を折りたたむことができるように折りたたみ可能である。
【０１３７】
この例では、一対のアーム３５０および第２の脚３４４が互いに同時に折り畳まれるように、一対のアーム３５０は、それぞれ対応する第２の脚４４と隣接している。傾斜路３５２は、第１の脚部３４２よりも幅が広く、収納状態で第１の脚部３４２を少なくとも部分的に収容するために、その下側に凹部３５４を含んでもよい。第２の脚部３４４は、締結具３４９（ボルトまたはピンなど）がここを介して第１の支持体３２８の対応する開口部３５１に嵌合する開口部３４７を含み、これにより、嵌合展開状態で第２の脚部３４４をロックできる。第１の脚部３４２が９０度を超えて回転し、第１の支持体３２８と当接し、これにより、スタンド３１０の重量によって保持されることに留意されたい。
【０１３８】
図２８に示されるようにシステム３２０をさらに詳細に参照すると、システム３２０は、好ましくは、容器３２４が傾斜した向きにある手押し車３１２のトレイ３１６の下に配置されるように配置される。容器３２４は、一般に、第２の脚部３４４を容器３２４内に入れた状態で、フレーム３２６の間隔を置いた２つの長手方向フレーム部材３４６の下に取り付けられている。アーム３５０は、洗浄流体（すなわち、水）がトレイに加えられると、トレイ３１６内の流体材料混合物が少なくとも部分的に重力を介して容器３２４内に移動できるように、容器３２４の一端または中間に向けて配置されてもよい。
【０１３９】
一部の例では、システム３２０は、トレイ３１６と容器３２４との間に嵌合可能なフィルタ３６０をさらに備える。フィルタ３６０は、流体材料混合物の固体材料を選択的に捕捉し、これにより、そのような材料を洗浄流体から分離するように適合されている。したがって、洗浄流体は比較的清潔に維持され、上記の第１〜３の例のように再利用または廃棄することができる。フィルタ３６０は、容器３２４の開口部を横切って固定されてもよく、またはフレーム３１０から吊り下げられてもよい。フィルタ３６０は、ジオファブリック、または上述のように紙、麻などのフィルタ材料であってもよい。
【０１４０】
一部の例では、フィルタ３６０は、容器３２４に取り付けられるように適合されたカートリッジまたはユニットなど、取り外し可能または交換可能であってもよい。フィルタ３６０を使用することにより、フィルタ３６０を通過した含有水を再利用することができる。これは、バケツに汲んでセメントミキサーへと翌日戻されてもよいし、小型の水中ポンプで別の場所に送られてもよい。一部の例では、容器３２４は、余分な洗浄水を重力を介して別の場所に排出することを可能にする弁およびタップを備えてもよい。これは単に、栓穴と容器３２４の底から１００ｍｍ上部にホースが取り付けられたプラグであってもよい。一部の例では、手押し車スタンド３１０の高さは、より高い側面を有する容器３２４に合うように上げることができるように調整可能であってもよい。
【０１４１】
上記のシステム３２０を使用して手押し車を洗浄する方法について、この方法は、概して、傾斜路３５２を使用して手押し車３１２を上昇させ、その車輪端３３６を第１の支持体３２８上で支持する工程を含む。車輪端３３６は車輪止め３４０と当接し、ハンドル３３８は持ち上げられて、トレイ３１６が第２の支持体３３２（この例では、トレイ３１６の対向する側面を弾性的に捕捉して支持するアーム３５０）によって支持された状態で、手押し車を傾斜した向きに枢動させる。次に、手押し車３１２は、そのトレイ３１６が容器３２４の上部に配置された状態で、傾斜した向きで支持される。スタンド３１０は、最初に、収納状態と展開状態との間で移動される必要がある場合があることに留意されたい。
【０１４２】
一部の例では、フィルタ３６０は、流体材料混合物がトレイ１６からフィルタ３６０を通って容器３２４に実質的に通過するように配置され、トレイ３１６内の流体材料混合物が少なくとも部分的に重力を介して容器３２４に移動できるように、水などの洗浄流体をトレイ３１６に加え、ここで、流体材料混合物によって運ばれる少なくとも一部の固体材料はフィルタ３６０によって捕捉される。次に、材料フィルタであってもよいフィルタ３６０は、回収された固体と共に処分されてもよく、捕捉された水は再利用されてもよい。
【０１４３】
有利なことに、工具および機器、特に手押し車の簡単で、便利で、安全で、環境に優しい洗浄を可能にする装置、関連するシステム、および使用方法の例を説明してきた。
【０１４４】
提供されている例では、この、廃水およびセメントなどの任意の固体材料を捕捉しながら、手押し車および工具を洗浄することを可能にする。フィルタは取り外して捕捉した材料を安全に廃棄でき、残りの水は廃棄または処理のために回収可能である。
【０１４５】
支持構造により、手押し車を両手をふさぐことなく洗浄のために保持でき、統合された切り欠きにより、手押し車全体を持ち上げることなく手押し車を傾けることができる。工具などの機器は、廃水を含んだまま、手押し車と工具の同時洗浄を可能にするタブの上部の洗浄トレイによって支持されてもよい。
【０１４６】
フィルタは、取り付けを容易にするために事前に成形されてもよく、含まれる捕捉された材料の除去および廃棄を容易にするためのハンドルを備えてもよい。タブの内面は、フィルタを通過する流体（典型的には水）を移動しやすくする表面形状を含み、流体処理装置は、流体、特に廃水を現場においてより環境にやさしい方法で処分できるように、濾過後の流体のｐＨを調整することを助ける。
【０１４７】
一例では、装置は、手押し車を上昇させた傾斜した位置で有利に支持できるようにする手押し車スタンドを備えてもよく、回収容器の洗浄を容易にすることができる。スタンドは簡単に折りたたみ、持ち運びできる。スタンドは、当該スタンドと、回収容器と、フィルタと備えるシステムの一部として提供されてもよい。システムの配置は、手押し車が一般に回収容器上で固体材料を回収するフィルタによって洗浄され、これにより洗浄流体、典型的には水を回収容器内に残し、これを安全に再利用または廃棄することができ、回収された固体材料は処分してもよい。
【０１４８】
本明細書およびそれに続く請求項全体を通して、文脈から他の意味であることを必要としない限り、「備える」という語、および「備え」および「備えている」などの変形は、述べられた整数、ステップ、または整数もしくはステップの群を包含することを意味すると理解され、その他の任意の整数、ステップ、または整数もしくはステップの群を除外するものではない。
【０１４９】
本明細書における既知の事項または先行する刊行物への言及は、当該既知の事項または先行技術の刊行物が、本明細書が関連する対象分野の共通の一般知識の一部を形成すると認識した、認めた、または示唆したものではなく、またそのように解釈されるべきではない。
【０１５０】
本発明の特定の例を説明してきたが、本発明は、本明細書に開示された、または本明細書で提供される開示から明らかな特徴の代替の組み合わせにまで及ぶことが理解されよう。
【０１５１】
当業者には、本明細書に開示された、または本明細書で提供される開示から明らかな本発明の範囲から逸脱することなく、多くの様々な変形例が明らかであろう。
【図１】
0006826236.tif 000002
【図２】
0006826236.tif 000003
【図３】
0006826236.tif 000004
【図４】
0006826236.tif 000005
【図５】
0006826236.tif 000006
【図６】
0006826236.tif 000007
【図７】
0006826236.tif 000008
【図８】
0006826236.tif 000009
【図９】
0006826236.tif 000010
【図１０】
0006826236.tif 000011
【図１１】
0006826236.tif 000012
【図１２】
0006826236.tif 000013
【図１３】
0006826236.tif 000014
【図１４】
0006826236.tif 000015
【図１５】
0006826236.tif 000016
【図１６】
0006826236.tif 000017
【図１７】
0006826236.tif 000018
【図１８】
0006826236.tif 000019
【図１９】
0006826236.tif 000020
【図２０】
0006826236.tif 000021
【図２１】
0006826236.tif 000022
【図２２】
0006826236.tif 000023
【図２３】
0006826236.tif 000024
【図２４】
0006826236.tif 000025
【図２５】
0006826236.tif 000026
【図２６】
0006826236.tif 000027
【図２７】
0006826236.tif 000028
【図２８】
0006826236.tif 000029